(57)【特許請求の範囲】
【請求項１】
試着サービスシステムにおいて行われる試着画像表示方法であって、
ユーザの仮想的な体の画像であるユーザ画像を当該ユーザに関するページであるマイルームページに表示する第１ステップと、
衣類を身に着けた他のユーザの仮想的な体の画像である他ユーザ画像を前記マイルームページ内に設けられたタイムライン表示部に表示する第２ステップと、
前記タイムライン表示部に表示されている前記他ユーザ画像を選択する操作を検知する第３ステップと、
前記第３ステップにおける検知を契機として、前記マイルームページに、前記他ユーザ画像の拡大画像と、当該他ユーザ画像に対応する前記衣類の一覧と、当該衣類の試着を所望する旨の操作を受け付けるためのボタンとを表示する第４ステップと、
前記第４ステップにおける前記ボタンの選択操作に基づいて、前記他ユーザ画像に対応する前記衣類の試着を所望する旨の操作を検知する第５ステップと、
前記第５ステップにおける検知を契機として、前記他ユーザ画像に対応する前記衣類を身に着けた状態の前記ユーザ画像を前記マイルームページに表示する第６ステップと、
を含む、試着画像表示方法。
【請求項２】
前記第４ステップにおいて、少なくとも前記他ユーザ画像の拡大画像は、前記タイムライン表示部に重ねて表示される、
請求項１に記載の試着画像表示方法。
【請求項３】
前記ユーザ画像で示される前記ユーザの体と前記他のユーザが身に着けている前記衣類にはそれぞれサイズが設定されており、
前記第５ステップにおける検知を契機として、前記ユーザの体のサイズに応じて前記衣類のサイズ調整を行う第７ステップをさらに含み、
前記第６ステップでは、前記第７ステップにおいてサイズ調整がなされた前記衣類を身に着けた状態の前記ユーザ画像を表示する、
請求項１または２に記載の試着画像表示方法。
【請求項４】
前記第１ステップより以前に、前記ユーザの体のサイズを設定して当該体のサイズに対応した体型を有する前記ユーザ画像を設定する第８ステップを更に含む、
請求項３に記載の試着画像表示方法。
【発明の詳細な説明】
【技術分野】
【０００１】
本発明は、ユーザが仮想的に衣類を試着した状態を表す試着画像を表示する技術に関する。
【背景技術】
【０００２】
近年、実店舗以外に、インターネット上のサイトにおいて衣類を販売する店舗が増加している。ユーザがインターネット上のサイトで衣類を購入し易くするために、ユーザが仮想的に衣類を試着できるようにするシステムが開発されている。
【０００３】
例えば、非特許文献１には、ＰＣ（パーソナルコンピュータ）に設けられているＷｅｂカメラで撮影されたユーザの画像や、ＰＣからアップロードされたユーザの撮像画像に、衣類の画像を重ね合わせて、ユーザが衣類を試着した状態の画像をＰＣの画面に表示することが開示されている。
【先行技術文献】
【非特許文献】
【０００４】
【非特許文献１】VituaFitter、[online]、［平成２６年６月３日検索］、インターネット〈ＵＲＬ：http://www.virtuafitter.com/jp/howto/ECsite_pc.html〉
【発明の概要】
【発明が解決しようとする課題】
【０００５】
しかしながら、このようなシステムを用いても、ユーザがインターネットや雑誌を閲覧している時にスタイルのよいモデルや知り合いが身に着けている衣類のコーディネイトが目に留まった場合に、それらの衣類を自分で試着して自分に似合うか否かを確認したり、自分に合うことを確認した上で衣類を購入したりすることができなかった。
また、体型の異なるモデルや友人が身に着けている衣類が気に入った場合に、その衣類を自分に合うサイズに調整すれば自分にも似合うのか否かを確認することができなかった。
【０００６】
本発明に係る具体的態様は、他人が身に着けている衣類が自分に似合うか否かを確認することができる技術を提供することを目的の１つとする。
また、本発明に係る別の具体的態様は、他人と自分の体型が異なる場合に、他人が身に着けている衣類のサイズを自分のサイズに調整した場合に当該衣類が自分に似合うか否かを確認することができる技術を提供することを目的の１つとする。
【課題を解決するための手段】
【０００７】
本発明に係る一態様の試着画像表示方法は、試着サービスシステムにおいて行われる試着画像表示方法であって、試着サービスシステムにおいて行われる試着画像表示方法であって、ユーザの仮想的な体の画像であるユーザ画像を当該ユーザに関するページであるマイルームページに表示する第１ステップと、衣類を身に着けた他のユーザの仮想的な体の画像である他ユーザ画像を前記マイルームページ内に設けられたタイムライン表示部に表示する第２ステップと、前記タイムライン表示部に表示されている前記他ユーザ画像を選択する操作を検知する第３ステップと、前記第３ステップにおける検知を契機として、前記マイルームページに、前記他ユーザ画像の拡大画像と、当該他ユーザ画像に対応する前記衣類の一覧と、当該衣類の試着を所望する旨の操作を受け付けるためのボタンとを表示する第４ステップと、前記第４ステップにおける前記ボタンの選択操作に基づいて、前記他ユーザ画像に対応する前記衣類の試着を所望する旨の操作を検知する第５ステップと、前記第５ステップにおける検知を契機として、前記他ユーザ画像に対応する前記衣類を身に着けた状態の前記ユーザ画像を前記マイルームページに表示する第６ステップと、を含む試着画像表示方法である。
【０００８】
上記構成によれば、前記他のユーザが身に着けている前記衣類の試着を所望する旨の操作の検知を契機として、前記衣類を身に着けた状態の前記ユーザ画像を表示するため、ユーザは他のユーザが身に着けている衣類が自分に似合うか否かを確認することができる。また、上記構成によれば、ＳＮＳにおける友達、フォロアー、広告主のモデル等が身に着けている衣類をユーザが仮想的に自分で試着してみることができ、ＳＮＳで交流しながら試着を楽しむことができる。また、ＳＮＳ以外のインターネット上のＷｅｂサイトにおいて、モデルが身に着けている気に入った衣類を見つけた場合に、その場でユーザ自身が仮想的に当該衣類を試着してみることができる。
【０００９】
上記の試着画像表示方法は、前記第４ステップにおいて、少なくとも前記他ユーザ画像の拡大画像が前記タイムライン表示部に重ねて表示される、ことも好ましい。
【００１０】
上記の試着画像表示方法において、前記ユーザ画像で示される前記ユーザの体と前記他のユーザが身に着けている前記衣類にはそれぞれサイズが設定されており、前記第５ステップにおける検知を契機として、前記ユーザの体のサイズに応じて前記衣類のサイズ調整を行う第７ステップをさらに含み、前記第６ステップでは、前記第７ステップにおいてサイズ調整がなされた前記衣類を身に着けた状態の前記ユーザ画像を表示する、ことも好ましい。
【００１１】
上記構成によれば、サイズ調整がなされた前記衣類を身に着けた状態の前記ユーザ画像を表示するため、他のユーザの体型が自分の体型と異なる場合にも、他のユーザが身に着けている衣類のサイズを自分のサイズに調整した場合に当該衣類が自分に似合うか否かを確認することができる。
【００１２】
上記の試着画像表示方法において、前記第１ステップより以前に、前記ユーザの体のサイズを設定して当該体のサイズに対応した体型を有する前記ユーザ画像を設定する第８ステップを更に含む、ことも好ましい。
【図面の簡単な説明】
【００１６】
【図１】図１は、一実施形態に係る試着サービスシステムの全体構成図である。
【図２】図２は、マイルームページの画面構成を示す図である。
【図３】図３は、他ユーザ試着画面の画面構成を示す図である。
【図４】図４は、試着室ページの画面構成を示す図である。
【図５】図５は、コレクションページの画面構成を示す図である。
【図６】図６は、コレクションペー上に表示されたサイズ設定画面の画面構成を示す図である。
【図７】図７は、試着画像ＤＢに記憶されているデータの一例を模式的に示す図である。
【図８】図８は、サーバの機能構成を示すブロック図である。
【図９】図９は、ユーザ端末の機能構成を示すブロック図である。
【図１０】図１０は、試着サービスシステムにおいて行われる他人衣類試着画像表示処理の手順を示すシーケンス図である。
【図１１】図１１は、図１０のステップＳ１０１において行われる自己のアバター設定処理の手順を示すシーケンス図である。
【図１２】図１２は、図１０のステップＳ１０２において行われる他ユーザ試着画像投稿処理の手順を示す図である。
【図１３】図１３（Ａ）、図１３（Ｂ）および図１３（Ｃ）は、変形例に係る他のユーザのアバターの試着画像の提示の態様を示す図である。
【発明を実施するための形態】
【００１７】
以下、本発明を実施するための形態を、図面を参照して詳細に説明する。
図１は、一実施形態に係る試着サービスシステムの全体構成図である。同図に示すように、試着サービスシステム１は、試着サービスとＳＮＳ（Social Networking Service）との両方のサービス機能を備えた会員サービスである「試着ＳＮＳ」を提供するサーバ１０と、ユーザが所持するユーザ端末２０と、を含んで構成されている。サーバ１０とユーザ端末２０はインターネットや無線通信網等の通信ネットワーク３０を介して通信可能に接続されている。なお、図１ではユーザ端末２０を２つ表示しているが、実際には試着ＳＮＳを利用するユーザの数だけ存在する。
【００１８】
（サーバの構成）
サーバ１０は、ハードウエアとして、図示しない制御部としてのＣＰＵ（Central Processing Unit）と、ＲＯＭ（read-only memory）、ＲＡＭ（random-access memory）、ハードディスク装置等の記憶装置と、通信インターフェースと、を備えている。
記憶装置には各種プログラムやデータが記憶されている。例えば、当該記憶装置には、オペレーションシステム、各種画面を表示するデータをユーザ端末２０に送信するためのプログラム、ユーザ端末２０から受信した各種データを記憶装置に記憶するためのプログラム、ユーザ端末２０から受信した要求に応じて記憶装置から各種データを読み出しユーザ端末２０に送信するためのプログラム等が記憶されている。
また、当該記憶装置には、試着ＳＮＳに会員登録したユーザのプロフィール、ログインＩＤ、パスワード、商品情報、ユーザの代りに仮想的に衣類を試着させるためのアバター画像、ユーザ用のタイムラインに投稿された情報が記憶されている。
【００１９】
また、当該記憶装置には、ユーザ端末２０に各種画面を表示するための例えばＨＴＭＬ（HyperText Markup Language）形式のデータが記憶されている。例えば、図２、図３、図４および図５に示す画面をユーザ端末２０に表示するためのデータが記憶されている。
図２はマイルームページ４０であり、サーバ１０が提供する試着ＳＮＳのログイン画面（不図示）からログインした時に表示される画面である。
マイルームページ４０の左上には、ログインユーザのプロフィール表示部４１が設けられている。当該プロフィール表示部４１の下部の選択操作が行われると、プロフィール編集画面（不図示）が表示される。
マイルームページ４０の右上には、試着ＳＮＳにおいてユーザの代りに仮想的に衣類を試着するキャラクターであってユーザの体型に調整されたアバター画像を表示する自己アバター表示部４３が設けられている。
マイルームページ４０の右中央には、試着ＳＮＳ内での友達やフォロアーの画像を表示する他ユーザ表示部４４が設けられている。
マイルームページ４０の左下には、タイムライン表示部４２が設けられている。タイムライン表示部４２には、ユーザ、ユーザの友達、フォロアー等が投稿した記事・コメント・衣類を身に着けたアバターの試着画像等が、時系列的に表示される。
【００２０】
タイムライン表示部４２に表示された他のユーザのアバター画像を選択する操作を行うと、図３に示すような他ユーザ試着画面４５がマイルームページ４０上においてタイムライン表示部４２に重ねて表示される。他ユーザ試着画面４５の左側には、衣類を試着した他のユーザのアバター画像の拡大画像を表示するアバター画像表示部４６が設けられている。他ユーザ試着画面４５の右上には、アバター画像表示部４６に表示されたアバターが身に着けている衣類の一覧を表示する試着衣類表示部４７が設けられている。他ユーザ試着画面４５の右下には他のユーザが試着している衣類一式をユーザのアバターに試着させるための試着要求ボタン４８が設けられている。当該試着要求ボタン４８の選択操作が行われると、他のユーザのアバターが身に着けている衣類を自己のアバターに試着させたアバター画像が自己アバター表示部４３に表示される。
【００２１】
図４は、試着室ページ５０である。試着室ページ５０の左側には、試着用のアバター画像を表示するためのアバター画像表示部５１が設けられている。
試着室ページ５０の右側には、検索条件に合致した衣類の画像や、以前保存操作が行われてサーバ１０に記憶されている衣類の画像を表示する衣類画像表示部５２が設けられている。衣類画像表示部５２に表示された衣類の中から特定の衣類の画像を選択する操作が行われると、当該選択された衣類を身に着けた状態のアバター画像がアバター画像表示部５１に表示される。
試着室ページ５０の中央付近には、アバター画像表示部５１のアバターが身に着けている衣類の一覧を表示する試着衣類表示部５３が設けられている。
アバター画像表示部５１の上部左側には、アバター画像表示部５１に表示されたアバター画像を水平方向に回転させて、アバターの側面、背面等を表示するためのボタン５４が設けられている。
【００２２】
アバター画像表示部５１の上部右側には、アバターが試着した衣類のサイズが大きいか否かを警告するためのボタン５５が設けられている。当該ボタン５５が選択されると、アバターに設定されている体のサイズと、衣類のサイズと、が比較され、衣類のサイズが大きい場合には、アバターが身に着けている当該衣類の画像上と、試着衣類表示部５３に表示されている当該衣類の情報表示領域の上に「SIZE OVER」という警告文字が表示される。
試着室ページ５０の中央下部には、アバターが試着した衣類の合計金額を表示する合計金額欄５６が設けられている。合計金額欄５６の右側に設けられているボタン５７が選択されると、アバターが試着していて試着衣類表示部５３に表示されている衣類の情報がカートに追加される。
アバター画像表示部５１の下部には、アバター画像表示部５１に表示されているアバター画像を自分やフォロアーのタイムラインに投稿するためのタイムライン投稿ボタン５８が設けられている。
【００２３】
図５は、試着に利用するアバター画像のコレクションページ６０である。
このコレクションページ６０に表示されている何れかのアバター画像の選択操作が行われると、図６に示すサイズ設定画面７０がコレクションページ６０上に表示される。このサイズ設定画面７０には、身長の入力欄７１、肩幅の入力欄７２、胸囲の入力欄７３、腕の太さの入力欄７４、ウエストの入力欄７５、ヒップの入力欄７６、股下の入力欄７７が設けられている。これらの入力欄７１、‥‥、７７には１ｃｍきざみで数値を入力することができる。
これらの入力欄７１、‥‥、７７に数値を入力すると、当該数値の体型を有するアバターの画像がサイズ設定画面７０の左側に表示される。サイズ設定を終了し、サイズ設定画面７０を閉じると、コレクションページ６０で選択操作が行われた対象のアバター画像がサイズ設定後のアバター画像に置き換わる。コレクションページ６０における各アバター画像の右下には試着ボタン６１が設けられており、当該試着ボタン６１の選択操作が行われると、対応するアバター画像は試着室ページ５０のアバター画像表示部５１に表示され、当該アバター画像を用いて試着が可能となる。また、所定の操作を行うことで、サイズ設定後の画像を自己のアバター画像としてマイルームページ４０の自己アバター表示部４３に表示することも可能である。
【００２４】
また、サーバ１０の記憶装置には、試着画像ＤＢ、体型ＤＢ、衣類ＤＢおよび投稿記事ＤＢが設けられている。
試着画像ＤＢには、人間（アバター）の体のサイズと衣類のサイズとに対応付けて、各サイズの人間に各サイズの衣類を身に着けさせた場合の当該衣類の状態を表示するための複数の画像データが記憶されている。
人間の体のサイズとしては、身長、肩幅、胸囲、腕の太さ、ウエスト、ヒップ、股下等が存在する。「衣類」としては身に着けるものであればよく、シャツ、セーター、ワンピース、パンツ、靴下、ベルト等が存在する。
【００２５】
図７は試着画像ＤＢに記憶されているデータの一例を模式的に示す図である。この例では、股下の長さと、Ｌサイズのパンツと、に対応付けられて、人間が当該パンツを履いた場合のパンツの状態を表示するための画像データが試着画像ＤＢに記憶されている。また、試着画像ＤＢには、これらの複数の画像データのうち、どの画像データがユーザの体にフィットしているかを示すフィットフラグが記憶されている。この例のように、ユーザの股下のサイズによって、実際にユーザがＬサイズのパンツを履いたときの状態を正確に表示できる画像データが記憶されているため、ユーザは表示された画像を見て実際にパンツを試着した状態を正確に把握することができる。
【００２６】
体型ＤＢには、人間の体の各部位のサイズ毎に、人間の体の画像を表示するための画像データが対応付けて記憶されている。また、体型ＤＢには、マイルームページ４０の自己アバター表示部４３、試着室ページ５０のアバター画像表示部５１、コレクションページ６０等に表示された各アバター画像に設定された体のサイズと、当該体のサイズを有するアバター画像を表示するためのデータが記憶されている。
衣類ＤＢには、ユーザに販売する衣類の画像データが、サイズや値段と対応付けられて記憶されている。
投稿記事ＤＢには、ユーザ端末２０から投稿されたコメント、試着したアバターの画像データ等が、投稿日時・投稿者等と対応付けられて記憶されている。
【００２７】
サーバ１０のＣＰＵが記憶装置に記憶されたプログラムに従って処理を実行することにより、主な機能として、図８に示す機能構成がサーバ１０に実現される。
選択操作検知部１０１は、ユーザ端末２０からの通知により、試着室ページ５０の衣類画像表示部５２に表示されている特定の衣類の画像に対する選択操作が行われたことを検知する。
【００２８】
試着画像取得部１０２は、選択操作が行われた特定の衣類の画像に設定されている衣類のサイズを衣類ＤＢから取得し、アバター画像表示部５１に表示されているアバター画像に設定されている体のサイズを体型ＤＢから取得し、当該衣類のサイズと体のサイズとに対応する画像データを、試着画像ＤＢに記憶されている画像データの中から取得する。
試着画像生成部１０３は、試着画像取得部１０２が取得した画像データを、アバターの体の画像を表示するための画像データに重ね合わせて、試着画像を表示するための画像データを生成する。選択操作検知部１０１において複数の衣類の選択操作が行われたことを検知した場合には、試着画像生成部１０３は、当該複数の衣類の画像データを選択操作が行われた時系列順に下から上に重ね合わせるレイヤー処理を行う。これにより、Ｔシャツの上にベルトを締めることも、Ｔシャツの裾の上にパンツを重ね合わせることも可能となる。
【００２９】
サイズデータ受付部１０４は、ユーザ端末２０からアバターの体のサイズを指定するサイズデータの入力を受け付ける。具体的には、図５に示すコレクションページ６０において特定のアバター画像の選択操作が行われると、図６に示すサイズ設定画面７０が表示され、当該サイズ設定画面７０において、身長、肩幅、胸囲、腕の太さ、ウエスト、ヒップ、股下それぞれに対応する入力欄７１〜７７に数値が入力されると、サイズデータ受付部１０４は入力欄７１〜７７に入力されたサイズデータを受け付ける。
体型画像取得部１０５は、受け付けられたサイズデータで指定されたサイズに対応付けられた体型画像を表示するための画像データを体型ＤＢから取得する。
【００３０】
投稿受付部１０６は、ユーザ端末２０から試着ＳＮＳに投稿された投稿データを受け付け投稿記事ＤＢに記憶する。
タイムライン生成部１０７は、投稿記事ＤＢに蓄積されている投稿データに基づいて、ユーザ、他のユーザ（ユーザの友達、フォロアー、広告主等）から投稿された投稿データを、ユーザ名、投稿日時等と共に、投稿日時順に上下方向に並べたリストを生成し、タイムライン表示部４２に表示する。
【００３１】
他人衣類試着要求検知部１０８は、ユーザ端末２０からの通知により、図３に示す他ユーザ試着画面４５における試着要求ボタン４８の選択操作、すなわち、他のユーザ（のアバター）が身に着けている衣類の試着を所望する旨の操作が行われたことを検知する。
他人衣類試着画像生成部１０９は、他のユーザが身に着けている衣類をユーザの体に合うようにサイズ調整した上で、当該衣類を身に着けた状態の前記ユーザの試着画像を表示するための画像データを生成する。具体的には、他人衣類試着画像生成部１０９は、他のユーザが試着している衣類の情報を、他ユーザ試着画面４５の試着衣類表示部４７に表示されている情報に基づいて取得する。また、他人衣類試着画像生成部１０９は、ユーザのアバター画像に設定されている体のサイズを体型ＤＢから取得する。そして、試着画像ＤＢのフィットフラグを参照して、ユーザの体のサイズに合った状態を表している前記衣類の画像データを試着画像ＤＢから取得し、当該取得した衣類の画像データをユーザのアバター画像データに重ね合わせて、ユーザの試着画像を表示するための画像データを生成する。
【００３２】
（ユーザ端末の構成）
ユーザ端末２０は、ＰＣや、スマートフォン、タブレットＰＣ等の携帯型情報端末であり、図示しない、ＣＰＵと、記憶装置と、通信インターフェースと、ディスプレイと、入力装置と、を備えている。記憶装置には、オペレーティングシステム、各種プログラム、データ等が記憶されている。
ユーザ端末２０のＣＰＵが記憶装置に記憶されたプログラムに従って処理を実行することにより、図９に示す機能がユーザ端末２０に実現される。
試着室表示部２０１は、例えば図４に示すように、試着室ページ５０のアバター画像表示部５１に、アバター画像を表示し、衣類画像表示部５２に衣類の画像を表示する。
選択操作検知部２０２は、衣類画像表示部５２に表示されている衣類の画像に対する選択操作を検知する。
【００３３】
試着画像表示部２０３は、試着室ページ５０に表示されている特定の衣類の画像に対する選択操作の検知を契機として、サーバ１０にその旨を通知し当該通知に対する応答としてサーバ１０から受信した情報に基づいて、予め設定されている前記アバターの体のサイズと前記特定の衣類のサイズとに応じて、前記衣類を身に着けた状態の前記アバターの体の画像を表示する。
サイズデータ受付部２０４は、ユーザによりサイズ設定画面７０のサイズ入力欄７１〜７７に数値が入力された場合に、当該入力された数値で示される、アバターの体のサイズを指定するサイズデータの入力を受け付ける。
体型設定画像表示部２０５は、サイズ設定画面７０においてアバターの体のサイズを指定するサイズデータの入力を受け付けた場合に、その旨をサーバ１０に通知し当該通知に対する応答として当該サーバ１０から受信したデータに基づいて、当該受け付けられたサイズデータで指定されたサイズ（体型）を有するアバター画像を表示する。
【００３４】
他人衣類試着要求検知部２０６は、図３に示す他ユーザ試着画面４５における試着要求ボタン４８の選択操作、すなわち、他のユーザが身に着けている衣類の試着を所望する旨の操作が行われたことを検知する。
他人衣類試着画像表示部２０７は、他人衣類試着要求検知部２０６による検知を契機として、ユーザの体に合うようにサイズ調整がなされた前記衣類を身に着けた状態のユーザのアバター画像を、マイルームページ４０の自己アバター表示部４３に表示する。
【００３５】
（動作）
次に、図１０に示す処理シーケンス図を参照して、上記構成の試着サービスシステム１において行われる他人衣類試着画像表示処理の手順を説明する。ここでは、ユーザは予め試着ＳＮＳに会員登録しており、ユーザ端末２０を操作して試着ＳＮＳにログインしているものとする。
【００３６】
まず、ユーザが試着ＳＮＳ上でユーザの代りに仮想的に衣類を試着するアバターを設定する操作を行った場合に、アバター画像設定処理が行われる（ステップＳ１０１）。
次に、他のユーザが自己のアバターの試着画像をユーザのタイムラインに投稿した場合に、他ユーザ試着画像投稿処理が行われる（ステップＳ１０２）。
次に、ユーザはユーザ端末２０を操作して、試着ＳＮＳのマイルームページ４０を表示する要求を行う。これにより、ユーザ端末２０はマイルームページ表示要求をサーバ１０に送信する（ステップＳ１０３）。
サーバ１０はマイルームページ表示要求を受信すると、マイルームページ４０を表示するためのデータを記憶装置から読み出しユーザ端末２０に送信する（ステップＳ１０４）。
ユーザ端末２０は、サーバ１０からデータを受信すると、ディスプレイにマイルームページ４０を表示する（ステップＳ１０５）。
【００３７】
次に、ユーザは、マイルームページ４０のタイムライン表示部４２に表示されている他のユーザのアバターの試着画像を選択する操作を行う。これにより、図３に示す他ユーザ試着画面４５がマイルームページ４０上に表示される。次に、ユーザは、他ユーザ試着画面４５の試着要求ボタン４８を選択する操作を行う。これにより、ユーザ端末２０の他人衣類試着要求検知部２０６は、アバター画像表示部４６に表示されているアバターが身に着けている衣類の試着を所望する旨の操作がユーザにより行われたことを検知する（ステップＳ１０６）。ユーザ端末２０は、上記操作を検知した旨を通知するメッセージをサーバ１０に送信する。
サーバ１０がユーザ端末２０からメッセージを受信すると、他人衣類試着要求検知部１０８は、他のユーザのアバターが身に着けている衣類の試着を所望する旨の操作がユーザにより行われたことを検知する（ステップＳ１０７）。
【００３８】
当該検知を契機として、サーバ１０の他人衣類試着画像生成部１０９は、ユーザの体のサイズに応じて、他のユーザのアバターが身に着けている各衣類のサイズ調整を行う（ステップＳ１０８）。具体的には、他人衣類試着画像生成部１０９は、他のユーザのアバターが試着している衣類の情報を、他ユーザ試着画面４５の試着衣類表示部４７に表示されている情報に基づいて取得する。また、他人衣類試着画像生成部１０９は、ユーザのアバター画像に設定されているユーザの体のサイズを体型ＤＢから取得する。そして、試着画像ＤＢのフィットフラグを参照して、ユーザの体のサイズにフィットしている状態を表している前記衣類の画像データを試着画像ＤＢから取得する。
次に、他人衣類試着画像生成部１０９は、当該取得した衣類の画像データをユーザのアバターの画像データに重ね合わせて、ユーザの試着画像を表示するための画像データを生成する（ステップＳ１０９）。
サーバ１０は生成した画像データをユーザ端末２０に送信する（ステップＳ１１０）。
【００３９】
ユーザ端末２０が画像データをサーバ１０から受信すると、ユーザ端末２０の他人衣類試着画像表示部２０７は、当該画像データに基づいて、ユーザの試着画像、すなわち、他ユーザのアバターが身に着けていた衣類を試着している自己のアバター画像を、マイルームページ４０の自己アバター表示部４３に表示する。
【００４０】
次に、図１１に示すシーケンス図を参照して、図１０のステップＳ１０１における自己アバター設定処理の手順を説明する。
まず、ユーザはユーザ端末２０を操作して、コレクションページ６０を表示する指示を行う。これにより、ユーザ端末２０はコレクションページ表示要求をサーバ１０に送信する（ステップＳ２０１）。
サーバ１０はアバターコレクションページ表示要求を受信すると、コレクションページ６０を表示するためのデータを記憶装置から読み出しユーザ端末２０に送信する（ステップＳ２０２）。
【００４１】
ユーザ端末２０は、サーバ１０からデータを受信すると、ディスプレイにコレクションページ６０を表示する（ステップＳ２０３）。
ユーザは、コレクションページ６０に表示された複数のアバターの画像の中から、自己のアバター画像として特定のアバターの画像を選択する操作を行う。これにより、ユーザ端末２０は特定のアバターの画像が選択されたことを検知し、その旨を通知するメッセージをサーバ１０に送信する（ステップＳ２０４）。
【００４２】
サーバ１０は、メッセージをユーザ端末２０から受信すると、選択された特定のアバターの体型を設定するサイズ設定画面７０を表示するためのデータを記憶装置から読み出してユーザ端末２０に送信する（ステップＳ２０５）。
ユーザ端末２０は、サーバ１０から受信したデータに基づいて、サイズ設定画面７０を表示する（ステップＳ２０６）。
ユーザは、サイズ設定画面７０の入力欄７１〜７７に自己のサイズを入力する。これにより、ユーザ端末２０のサイズデータ受付部２０４はアバターの体のサイズを指定するサイズデータの入力を受け付け、当該サイズデータをサーバ１０に送信する（ステップＳ２０７）。
【００４３】
サーバ１０がユーザ端末２０からサイズデータを受信すると、サイズデータ受付部１０４は当該サイズデータを受け付ける（ステップＳ２０８）。体型画像取得部１０５は、当該サイズデータに対応する体型のアバター画像を表示するための画像データを体型ＤＢから取得し（ステップＳ２０９）、ユーザ端末２０に送信する（ステップＳ２１０）。また、サーバ１０は、ユーザのアバターに設定されたサイズデータを体型ＤＢに記憶する。
ユーザ端末２０は、画像データをサーバ１０から受信すると、当該画像データに基づいて、前記サイズデータで指定されたサイズを有するアバターの画像を、コレクションページ６０における前記特定のアバターの画像が表示されていた場所に置換表示する（ステップＳ２１１）。なお、当該アバター画像をマイルームページ４０の自己アバター表示部４３に表示してもよい。
【００４４】
次に、図１２に示す処理シーケンス図を参照して、図１０のステップＳ１０２において行われる他ユーザ試着画像投稿処理の手順を説明する。
試着ＳＮＳにおいてユーザがフォローしている他のユーザは、自己のユーザ端末２０を操作して、試着室ページ５０を表示する指示を行う。これにより、ユーザ端末２０は試着室ページ表示要求をサーバ１０に送信する（ステップＳ３０１）。
サーバ１０は試着室ページ表示要求を受信すると、試着室ページ５０を表示するためのデータをサーバ１０の記憶装置から読み出してユーザ端末２０に送信する（ステップＳ３０２）。
ユーザ端末２０は、サーバ１０からデータを受信すると、ディスプレイに試着室ページ５０を表示する（ステップＳ３０３）。
【００４５】
他のユーザはユーザ端末２０に表示された試着室ページ５０において衣類を検索する操作を行う。これにより、検索条件に合致した衣類の画像が衣類画像表示部５２に表示される。他のユーザは、表示された衣類の画像の中から試着を所望する特定の衣類の画像を選択する操作を行う。これにより、ユーザ端末２０の選択操作検知部２０２は特定の衣類が選択されたことを検知し、その旨を通知するメッセージをサーバ１０に送信する（ステップＳ３０４）。
【００４６】
サーバ１０は、ユーザ端末２０からメッセージを受信すると、選択操作検知部１０１は、特定の衣類の画像の選択操作が行われたことを検知する（ステップＳ３０５）。
選択操作が行われたことの検知を契機として、試着画像取得部１０２は、選択操作が行われた特定の衣類の画像に設定されている衣類のサイズを衣類ＤＢから取得し、アバター画像表示部５１に表示されているアバター画像に設定されている体のサイズを体型ＤＢから取得する。そして、試着画像取得部１０２は、衣類のサイズと体のサイズとに対応付けられている画像データを、試着画像ＤＢに記憶されている複数の画像データの中から取得する（ステップＳ３０６）。試着画像生成部１０３は、取得した画像データを他のユーザのアバター画像を表示するための画像データに重ね合わせて、他のユーザのアバターが衣類を身に着けた状態の試着画像を表示するための画像データを生成する（ステップＳ３０７）。サーバ１０は、当該生成した画像データをユーザ端末２０に送信する（ステップＳ３０８）。
ユーザ端末２０の試着画像表示部２０３は、サーバ１０から受信した画像データに基づいて、他のユーザのアバターが衣類を身に着けた状態の試着画像をアバター画像表示部５１に表示する（ステップＳ３０９）。
【００４７】
次に、他のユーザはタイムライン投稿ボタン４８を選択する操作を行う。これによりユーザ端末２０はその旨を通知するメッセージをサーバ１０に送信する（ステップＳ３１０）。
サーバ１０がユーザ端末２０からメッセージを受信すると、投稿受付部１０６は他のユーザからの投稿を受け付け、タイムライン生成部１０７は、当該投稿された他のユーザのアバターの試着画像がユーザのタイムライン表示部４２に表示されるように、ユーザのタイムラインを生成する（ステップＳ３１１）。
【００４８】
以上のように、試着サービスシステム１では、他のユーザのアバターが身に着けている衣類の試着を所望する旨の操作の検知を契機として、当該衣類を身に着けた状態のユーザのアバター画像を表示するため、ユーザは他のユーザが身に着けている衣類が自分に似合うか否かを確認することができる。また、試着ＳＮＳで他のユーザとの交流を図りながら、他のユーザが着ている服を気軽に試着することができる。
また、ユーザの体型が他のユーザの体型と異なる場合にも衣類のサイズ調整がなされるため、他のユーザが身に着けている衣類のサイズをユーザのサイズに調整すれば当該衣類が自分に似合うか否かを確認することができる。
【００４９】
本発明は上述した各実施形態の内容に限定されるものではなく、本発明の要旨の範囲内において種々に変形して実施をすることが可能である。例えば、上述した実施形態においては、試着サービスシステム１は、サーバ１０とユーザ端末２０を含んで構成されるとして説明したが、これに限定されることはなく、ユーザ端末２０が上述したサーバ１０の機能構成の全部又は一部を有していてもよいし、複数の通信装置にサーバ１０の機能構成が分散して設けられていてもよい。ユーザ端末２０にサーバ１０が備える機能を持たせる場合には、アプリケーションプログラムを提供する所定のサーバから上記機能を実行するためのアプリケーションプログラム（いわゆる「アプリ」）をユーザ端末２０にダウンロードすればよい。また、ユーザ端末２０に表示される画面構成や画像の表示位置、データベース構成は一例に過ぎず、本発明の要旨の範囲内で変形が可能である。
【００５０】
また、上述した実施形態では、他のユーザのアバターの試着画像は試着ＳＮＳで提供されるタイムラインに表示されるとして説明したが、当該試着画像の提示方法はこれに限定されることはない。例えば、図１３（Ａ）に示すように、Ｆａｃｅｂｏｏｋ（登録商標）等の他のＳＮＳサイトを含むインターネット上の任意のＷｅｂサイト８０に表示されていてもよい。この場合には、Ｗｅｂサイト８０を表示するＨＴＭＬ内にプログラムを埋め込んだり、ＡＳＰ（Active Server Pages）等の手法でサーバ１０からプログラムを読み出したりする手法を用いて、当該Ｗｅｂサイト８０にユーザ自身の試着画像を表示することができる。
また、図１３（Ｂ）に示すように、他のユーザのアバターの試着画像は、テレビ（Television）のディスプレイ９０に表示されていてもよい。この場合には、試着ＳＮＳのサイトにリンクするためのインターネット上の所在地を示すＵＲＬ（Uniform Resource Locator）９２を他のユーザのアバターの試着画像の近傍に表示しておき、ユーザが当該ＵＲＬ９２を選択する操作を行うことで、試着ＳＮＳのサイトに遷移して当該ユーザの試着画像をディスプレイ９０に表示できるようにすればよい。なお、ＵＲＬ９２の代りにバーコードを表示してもよい。
また、図１３（Ｃ）に示すように、他のユーザのアバターの試着画像は雑誌９４等の紙媒体に印刷されていてもよい。この場合には、試着ＳＮＳのサイトのインターネット上の所在地を示す二次元バーコード９６を試着画像の近傍に印刷しておき、ユーザがユーザ端末２０で当該二次元バーコード９６等を読み取る操作を行うことでユーザ端末２０にユーザの試着画像を表示できるようにすればよい。なお、二次元バーコード９６の代りに一次元バーコードやＵＲＬを表示してもよい。
なお、上述した実施形態では、他のユーザのアバターの試着画像を提示するとして説明したが、アバターではなく実際の人間が衣類を身に着けた状態を撮像した試着画像を提示してもよい。
【符号の説明】
【００５１】
１    ：試着サービスシステム
１０  ：サーバ
１０１：選択操作検知部
１０２：試着画像取得部
１０３：試着画像生成部
１０４：サイズデータ受付部
１０５：体型画像取得部
１０６：投稿受付部
１０７：タイムライン生成部
１０８：他人衣類試着要求検知部
１０９：他人衣類試着画像生成部
２０  ：ユーザ端末
２０１：試着室表示部
２０２：選択操作検知部
２０３：試着画像表示部
２０４：サイズデータ受付部
２０５：体型設定画像表示部
２０６：他人衣類試着要求検知部
２０７：他人衣類試着画像表示部
３０  ：通信ネットワーク
【図１】
0006330238.tif 000002
【図２】
0006330238.tif 000003
【図３】
0006330238.tif 000004
【図４】
0006330238.tif 000005
【図５】
0006330238.tif 000006
【図６】
0006330238.tif 000007
【図７】
0006330238.tif 000008
【図８】
0006330238.tif 000009
【図９】
0006330238.tif 000010
【図１０】
0006330238.tif 000011
【図１１】
0006330238.tif 000012
【図１２】
0006330238.tif 000013
【図１３】
0006330238.tif 000014